(57)【要約】【課題】  上腕部を身体から離すようにして外側上方へ押し上げることができ、半身が不自由な患者でも、一人で装着し／取り外すことができる補助装具を提供する。【解決手段】  掛止部１１と、掛止部１１から一体に連設された中間部１３と、中間部１３から一体に連設された介挿部１５とを有し、介挿部１５が腋窩Ｈ９に介挿されて上腕部Ｈ３１を外側へ押し上げることにより腕Ｈ３の機能の回復を補助する補助装具。掛止部１１の先端側は肩Ｈ１から背部Ｈ５の中央Ｈ５０へ向けて下がる形状を成し、介挿部１５の先端側は腋窩Ｈ９から上腕部Ｈ３１の外側Ｈ３１１へ向けて上がる形状を成し、中間部１３は肩Ｈ１から胸部Ｈ７の縁Ｈ７１を経て腋窩Ｈ９へ向けて下がる形状を成す。介挿部１５が腋窩Ｈ９に介挿された状態で、掛止部１１と中間部１３とが肩Ｈ１を上側から挟み込み、中間部１３と介挿部１５とが腕Ｈ３の付け根Ｈ３０を下側から挟み込む。【選択図】  図１
2018040069.tif 000002
【特許請求の範囲】
【請求項１】
肩に掛止される部位である掛止部と、該掛止部から一体に連設された中間部と、該中間部から一体に連設された介挿部とを有し、該介挿部が腋窩に介挿されて上腕部を外側へ押し上げることにより腕の機能の回復を補助する補助装具であって、
前記掛止部の先端側は、肩から背部の中央へ向けて下がる湾曲形状を成し、
前記介挿部の先端側は、腋窩から上腕部の外側へ向けて上がる湾曲形状を成し、
前記掛止部と前記介挿部を繋ぐ前記中間部は、肩から胸部の縁を経て腋窩へ向けて下がる湾曲形状を成し、
前記介挿部が腋窩に介挿された状態で、前記掛止部と前記中間部とで肩を上側から挟み、前記中間部と前記介挿部とで腕の付け根を下側から挟む、
ことを特徴とする補助装具。
【請求項２】
請求項１に於いて、
前記補助装具は、各々所定の輪郭形状を成す２枚のポリ塩化ビニル樹脂シートの縁全周を溶着して成り、当該２枚のシート間に空気を封入することにより前記形状を成す、
ことを特徴とする補助装具。
【請求項３】
請求項１に於いて、
前記補助装具は発泡スチロール製である、
ことを特徴とする補助装具。
【発明の詳細な説明】
【技術分野】
【０００１】
本発明は、脳梗塞等で半身が不自由となった人が、回復期リハビリテーション病院等で行われる理学療法や作業療法等の合間の時間帯に装着していることで、腕や肩の機能の回復を補助する補助装具に関する。
本発明の補助装具は、他人の介助が無くとも、患者本人が簡単に装着し／取り外すことが可能であるため、気軽に使用できる。
【背景技術】
【０００２】
回復期リハビリテーション病院では、理学療法や作業療法等の各種のリハビリが行われるのであるが、そのための時間は比較的短く、合間の時間がかなり長い。その間、何もしないでいることは、患者にとって、精神的な苦痛である。
【０００３】
上腕部を身体から離すようにして外側上方へ若干持ち上げると、ダラリと垂れ下がっていた腕の重量で肩に加わっていた力の方向が変わり、回復期の患者にとって楽である。また、肘の伸びる方向も変わるため、血行促進等の効果もあり、回復の助けとなる。
テーピング等で上腕部を持ち上げることも考えられるが、半身が不自由な患者が一人でテーピングを行うことは不可能であり、介助者が必要となるため、現実的ではない。つまり、理学療法や作業療法等の合間の時間帯に気軽に行うことはできない。
【０００４】
上腕部を身体から離すようにして外側上方へ若干持ち上げるための装具であって、半身が不自由な患者が一人で装着し／取り外すことができるものは提供されていない。
なお、特開２０１６−０００８７５号公報（特許文献１）には、肩に装着するための関節用サポータや、サポータ用支持具について記載されている。
【先行技術文献】
【特許文献】
【０００５】
【特許文献１】特開２０１６−０００８７５号公報
【発明の概要】
【発明が解決しようとする課題】
【０００６】
本発明は、上腕部を身体から離すようにして外側上方へ押し上げ得る装具であって、理学療法や作業療法の合間等の暇な時間帯に、半身が不自由な患者が、介助者の助け無く一人で装着し／取り外すことができる装具を提供することを目的とする。
【課題を解決するための手段】
【０００７】
本発明の構成を、下記［１］〜［３］に記す。なお、この項（［課題を解決するための手段］）と次項（［発明の効果］）に於いて、符号は理解を容易にするために付したものであり、本発明を符号の構成に限定する趣旨ではない。
【０００８】
［１］構成１
肩Ｈ１に掛止される部位である掛止部１１と、該掛止部１１から一体に連設された中間部１３と、該中間部１３から一体に連設された介挿部１５とを有し、該介挿部１５が腋窩Ｈ９に介挿されて上腕部Ｈ３１を外側へ押し上げることにより腕Ｈ３の機能の回復を補助する補助装具であって、
前記掛止部１１の先端側は、肩Ｈ１から背部Ｈ５の中央Ｈ５０へ向けて下がる形状を成し、
前記介挿部１５の先端側は、腋窩Ｈ９から上腕部Ｈ３１の外側Ｈ３１１へ向けて上がる形状を成し、
前記掛止部１１と前記介挿部１５を繋ぐ前記中間部１３は、肩Ｈ１から胸部Ｈ７の縁Ｈ７１を経て腋窩Ｈ９へ向けて下がる形状を成し、
前記介挿部１５が腋窩Ｈ９に介挿された状態で、前記掛止部１１と前記中間部１３とで肩Ｈ１を上側から挟み、前記中間部１３と前記介挿部１５とで腕Ｈ３の付け根Ｈ３０を下側から挟む、
ことを特徴とする補助装具。
介挿部１５は、腋窩Ｈ９に介挿された状態で上腕部Ｈ３１を外側へ押し上げ得る程度に太く、また、押し上げ得る程度に硬い。患者の体格や回復の程度によっても異なるが、太さは、例えば、５００ｃｃ〜１５００ｃｃのペットボトル程度である。
掛止部１１の先端側が背部Ｈ５の中央Ｈ５０へ向けて下がるように体表に沿って湾曲する形状を成し、介挿部１５の先端側が上腕部Ｈ３１の外側Ｈ３１１へ向けて上がるように体表に沿って湾曲する形状を成し、掛止部１１と介挿部１５を繋ぐ中間部１３が肩Ｈ１から胸部Ｈ７の縁Ｈ７１を経て腋窩Ｈ９へ向けて下がるように体表に沿って湾曲する形状を成すと、装具全体としては、略螺旋状の湾曲形状を成す。
介挿部１５が腋窩Ｈ９に介挿された状態で、掛止部１１と中間部１３とで肩Ｈ１を上側から弾性的に挟み、中間部１３と介挿部１５とで腕Ｈ３の付け根Ｈ３０を下側から弾性的に挟むように構成すると、本補助装具が、より外れ難くなる。
【０００９】
［２］構成２
構成１に於いて、
前記補助装具は、各々所定の輪郭形状を成す２枚のポリ塩化ビニル樹脂シートの縁全周を溶着して成り、当該２枚のシート間に空気を封入することにより前記形状を成す、
ことを特徴とする補助装具。
［３］構成３
構成１に於いて、
前記補助装具は発泡スチロール製である、
ことを特徴とする補助装具。
【発明の効果】
【００１０】
構成１は、肩Ｈ１に掛止される部位である掛止部１１と、該掛止部１１から一体に連設された中間部１３と、該中間部１３から一体に連設された介挿部１５とを有し、該介挿部１５が腋窩Ｈ９に介挿されて上腕部Ｈ３１を外側へ押し上げることにより腕Ｈ３の機能の回復を補助する補助装具であって、前記掛止部１１の先端側は、肩Ｈ１から背部Ｈ５の中央Ｈ５０へ向けて下がる形状を成し、前記介挿部１５の先端側は、腋窩Ｈ９から上腕部Ｈ３１の外側Ｈ３１１へ向けて上がる形状を成し、前記掛止部１１と前記介挿部１５を繋ぐ前記中間部１３は、肩Ｈ１から胸部Ｈ７の縁Ｈ７１を経て腋窩Ｈ９へ向けて下がる形状を成し、前記介挿部１５が腋窩Ｈ９に介挿された状態で、前記掛止部１１と前記中間部１３とで肩Ｈ１を上側から挟み、前記中間部１３と前記介挿部１５とで腕Ｈ３の付け根Ｈ３０を下側から挟むことを特徴とする補助装具であるため、介助者の助けが無くとも、理学療法や作業療法の合間等の暇な時間帯に、患者が一人で装着し／取り外すことができる。また、装着することにより、ダラリと垂れ下がっていた腕の重量で肩に加わっていた力の方向が変わるため患者にとって楽であり、肘の伸びる方向も変わるため、血行促進等の効果もあり、回復の助けともなる。
構成２や構成３によると、本補助装具に適した具体的な素材例を提供できる。
【図面の簡単な説明】
【００１１】
【図１】実施の形態の補助装具を示し、（ａ）は左腕・左肩に装着した状態を斜め後方から見た斜視図、（ｂ）は（ａ）の補助装具の斜視図。
【図２】図１の補助装具を示し、（ａ）は左腕・左肩に装着した状態を後方から見た斜視図、（ｂ）は左腕・左肩に装着した状態を前方から見た斜視図。
【発明を実施するための形態】
【００１２】
図面を参照して、本発明の実施の形態を説明する。図示の例は左腕・左肩に装着するための補助装具であるが、右腕・右肩用の補助装具の場合は、左右が反対の対称形となる他は、図示の例と同様に構成できる。
【００１３】
本補助装具は、発泡スチロール製であり、図示のように、掛止部１１、介挿部１５、及び、掛止部１１と介挿部１５を繋ぐ中間部１３から成る。これら３つの部位は一体に連設されており、全体として略螺旋状の形状を成す。
この全体形状は、例えば、この全体形状を成す複数の部分をそれぞれ発泡スチロールから削りだした後、接着することによって構成することができる。
【００１４】
掛止部１１は、肩Ｈ１に掛止される部位であり、その先端側は、肩Ｈ１から背部Ｈ５の中央Ｈ５０へ向けて体表に沿って下がる湾曲形状を成す。
介挿部１５は、腋窩（脇の下）Ｈ９に介挿されて上腕部Ｈ３１を外側へ押し上げることにより腕Ｈ３や肩Ｈ１の機能回復を補助するための部位であり、その先端側は、腋窩Ｈ９から上腕部Ｈ３１の外側Ｈ３１１へ向けて体表に沿って上がる湾曲形状を成す。
中間部１３は、掛止部１１と介挿部１５を繋ぐ部位であり、肩Ｈ１から胸部Ｈ７の縁Ｈ７１を経て腋窩Ｈ９へ向けて体表に沿って下がる湾曲形状を成す。
【００１５】
本補助装具を患者が装着した状態では、左の肩Ｈ１が、掛止部１１の先端側と、中間部１３の掛止部寄りの部位とで、上側から挟み込まれるとともに、左の腕Ｈ３の付け根（腋窩Ｈ９，脇の下）Ｈ３１１の部分が、介挿部１５の先端側と、中間部１３の介挿部１５寄りの部位とで、下側から挟み込まれる。このように上下から挟み込まれるため、本補助装具は簡単には外れ難く、患者は、理学療法や作業療法等のリハビリの合間に想定される通常の動作を、本補助装具を特別に意識することなく行うことができる。言い換えれば、リハビリの合間に装着していても、生活に支障は無い。
【００１６】
介挿部１５の中で腋窩（脇の下）Ｈ９に介挿される部位の太さは、患者の体格や回復の程度に合わせて、例えば、直径５ｃｍ〜１５ｃｍ程度に設定されている。このため、腋窩Ｈ９に介挿された状態では、上腕部が外側上方へ押し上げられて、その結果、ダラリと垂れ下がっていた腕の重量で肩に加わっていた力の方向が変わるとともに、肘の伸びる方向も変わるため、回復期の患者にとって楽である。また、血行促進等の効果もあるため、機能回復の助けともなると考えられる。
【００１７】
介挿部１５の中で腋窩Ｈ９に介挿される部位の太さや硬さは、上腕部を外側上方へ押し上げ得る太さや硬さとして決められるが、他の部位、即ち、介挿部１５の先端側、掛止部１１、及び、中間部１３の太さや硬さは、それぞれ当該の機能を奏し得るものであり、且つ、装着した状態で患者の生活に支障が無いものであれば、任意である。
【００１８】
例えば、本補助装具を、樹脂製又は軽い金属製の芯材（掛止部，中間部，介挿部に相当する部位を備えた芯材）と、該芯材の周面上に厚みを形成するように設ける厚み材とで構成し、介挿部の中で腋窩Ｈ９に介挿される部位の周囲にのみ厚み材を設けるように構成してもよい。この厚み材は、例えば、芯材の周面上に布を多層に巻き付ける等して構成することができる。或いは、紙粘土を付着させる等して構成することもできる。
【００１９】
前述の実施の形態では、補助装具を発泡スチロールで構成しており、それにより、軽量化も達成しているが、本発明の補助装具は、発泡スチロール製に限定されない。本補助装具の機能を奏し得るものであれば、適宜の素材を使用することができる。
【００２０】
例えば、２枚の塩化ビニル等の軟質樹脂シートの縁を溶着し、両シート間に空気を吹き入れて封入して、図示の形状のように立体化してもよい。そのようにすると、若干の弾力を有するため、装着した状態で、より患者の体表にフィットするようになる。
さらに、吹き入れ口に開閉自在な栓を設け、必要に応じて空気の吹き入れ／排出を行い得るようにしてもよい。そのようにすると、使用しないときには、邪魔にならないように小さく折り畳むこともできる。
【符号の説明】
【００２１】
１１  掛止部
１３  中間部
１５  介挿部
Ｈ１  肩
Ｈ３  腕
Ｈ３０  腕の付け根
Ｈ３１  上腕部
Ｈ３１１  上腕部の外側
Ｈ５  背部
Ｈ５０  背部の中央
Ｈ７  胸部
Ｈ７１  胸部の縁
Ｈ９  腋窩
【図１】
2018040069.tif 000003
【図２】
2018040069.tif 000004